(57)【要約】【課題】ヌル点を回避して車輪の位置判定を簡単に行うことができる車輪位置判定装置を提供すること。【解決手段】タイヤセンサユニット３は、車輪２と共に回転して所定の回転位置で加速度を検出する加速度センサ１３と、車輪２に関するデータ信号を無線送信するＲＦ送信回路と、を有する。受信機ユニット４は、各タイヤセンサユニット３から送信されるデータ信号を受信するＲＦ受信回路３５と、データ信号がいずれの車輪２のタイヤセンサユニット３から送信されたデータ信号であるのかを判定する受信機ユニットコントローラ３３と、を有する。タイヤセンサユニット３のＲＦ送信回路は、加速度センサ１３が予め設定された特定の加速度値を検出したタイミングから、一定の送信遅延時間が経過した後にデータ信号を送信する。【選択図】図１
2016203722.tif 000002
【特許請求の範囲】
【請求項１】
車輪の回転位置検出部を各車輪に対応して備える車両に設けられる車輪位置判定装置であって、
前記車輪それぞれに設けられる車輪側ユニット、及び前記車両の車体に設置される受信機ユニットを備え、
各車輪側ユニットは、前記車輪と共に回転して加速度を検出する加速度センサと、
前記車輪に関するデータ信号を無線送信する送信部と、を有し、
前記受信機ユニットは、前記各車輪側ユニットから送信されるデータ信号を受信する受信部と、
前記データ信号がいずれの車輪の前記車輪側ユニットから送信されたデータ信号であるのかを判定する車輪位置判定部と、を有し、
前記送信部は、前記加速度センサが予め設定された特定の加速度値を検出したタイミングから、一定の送信遅延時間が経過した後に前記データ信号を送信することを特徴とする車輪位置判定装置。
【請求項２】
前記車輪位置判定部は、前記データ信号を受信したタイミングから前記送信遅延時間前に前記回転位置検出部の検出した回転位置情報に基づいて前記データ信号がいずれの車輪の前記車輪側ユニットから送信されたデータ信号であるのかを判定する請求項１に記載の車輪位置判定装置。
【請求項３】
前記送信遅延時間は複数設定されている請求項１又は請求項２に記載の車輪位置判定装置。
【請求項４】
前記送信部は、前記送信遅延時間に関するデータを前記データ信号と共に送信する請求項１〜請求項３のうちいずれか一項に記載の車輪位置判定装置。
【発明の詳細な説明】
【技術分野】
【０００１】
本発明は、車輪の回転位置検出部を各車輪に対応して備える車両に設けられる車輪位置判定装置に関し、特にタイヤ状態監視装置に用いるのに好適な車輪位置判定装置に関する。
【背景技術】
【０００２】
車両に設けられた複数のタイヤの状態を運転者が車室内で確認できるようにするための装置として、無線方式のタイヤ状態監視装置が提案されている（例えば、特許文献１参照）。特許文献１に記載されたタイヤ状態監視装置は、車両の車輪にそれぞれ装着される複数の送信機と、車両の車体に搭載される受信機とを備えている。各送信機は、対応するタイヤの状態、即ちタイヤ内の圧力を検出し、検出されたタイヤの状態を示すデータを含むデータ信号を、送信アンテナを通じて無線送信する。
【０００３】
一方、受信機は、受信アンテナを備える。そして、受信機は、各送信機の送信アンテナからのデータ信号を、受信アンテナを通じて受信して、タイヤの圧力に関する情報を車室内に設けられた表示器に必要に応じて表示させる。また、タイヤ状態監視装置では、受信されたデータ信号が複数のタイヤのうちのどのタイヤに設けられた送信機から発信されたものであるのかを、言い換えれば、受信されたデータ信号に関連する車輪の位置を、受信機において判定するようになっている。
【０００４】
ところが、車輪が回転することで、各車輪に設けられた送信機も回転するため、送信機の回転位置は常に変化し、受信機では送信機からのデータ信号の受信強度が変化する。そして、送信機が車輪と共に回転する中で、送信機からのデータ信号に対して受信機の受信強度が著しく低下する範囲（所謂ヌル点）が存在する場合があり、このヌル点となる範囲に送信機が位置すると受信機においてデータ信号が受信不能となり、車輪の位置が判定できなくなる。
【０００５】
このヌル点でのデータ信号の受信不能を回避する構成として、例えば特許文献１が挙げられる。特許文献１のタイヤ状態監視装置では、送信機は、１回のデータの送信動作において、異なるビットレートで交互にデータを送信する送信サイクルを複数回連続して行っている。このため、受信機では、いずれかのビットレートでデータを受信でき、ヌル点を原因として車輪の位置が判定できなくなるということが回避される。
【先行技術文献】
【特許文献】
【０００６】
【特許文献１】特開２００３−２７２０６０号公報
【発明の概要】
【発明が解決しようとする課題】
【０００７】
ところで、タイヤ状態監視装置では、ヌル点を回避して車輪の位置判定を簡単に行うことが望まれている。
本発明の目的は、ヌル点を回避して車輪の位置判定を簡単に行うことができる車輪位置判定装置を提供することにある。
【課題を解決するための手段】
【０００８】
上記問題点を解決するための車輪位置判定装置は、車輪の回転位置検出部を各車輪に対応して備える車両に設けられる車輪位置判定装置であって、前記車輪それぞれに設けられる車輪側ユニット、及び前記車両の車体に設置される受信機ユニットを備え、各車輪側ユニットは、前記車輪と共に回転して加速度を検出する加速度センサと、前記車輪に関するデータ信号を無線送信する送信部と、を有し、前記受信機ユニットは、前記各車輪側ユニットから送信されるデータ信号を受信する受信部と、前記データ信号がいずれの車輪の前記車輪側ユニットから送信されたデータ信号であるのかを判定する車輪位置判定部と、を有し、前記送信部は、前記加速度センサが予め設定された特定の加速度値を検出したタイミングから、一定の送信遅延時間が経過した後に前記データ信号を送信することを要旨とする。
【０００９】
これによれば、加速度センサが特定の加速度値を検出するときの車輪側ユニットの位置は、車速に関係なく常に一定の位置である。そして、特定の加速度値を検出したタイミングから一定の送信遅延時間が経過した後での車輪側ユニットの回転位置は、車速によって異なる。例えば、車速が速ければ、車輪側ユニットの回転位置は、特定の加速度値を検出した回転位置よりも回転方向に遠くなっていく。したがって、ある車速では、加速度センサが特定の加速度値を検出したタイミングから一定の送信遅延時間が経過したとき、車輪側ユニットの回転位置がヌル点となる範囲に位置したとしても、車速が異なれば、車輪側ユニットの回転位置はヌル点となる範囲から外れた位置に位置する。したがって、車輪位置判定部では、車輪側ユニットからのデータ信号を受信して車輪位置を判定することが可能になる。よって、例えば、ヌル点を回避するために、車輪側ユニットがデータ信号を送信する送信角度をずらす場合と比べると、ヌル点を回避しての車輪位置判定が簡単になる。
【００１０】
また、車輪位置判定装置について、前記車輪位置判定部は、前記データ信号を受信したタイミングから前記送信遅延時間前に前記回転位置検出部の検出した回転位置情報に基づいて前記データ信号がいずれの車輪の前記車輪側ユニットから送信されたデータ信号であるのかを判定してもよい。
【００１１】
これによれば、受信部がデータ信号を受信したタイミングは、加速度センサが特定の加速度値を検出したタイミングよりも送信遅延時間経過したときである。言い換えると、受信部がデータ信号を受信したタイミングよりも送信遅延時間だけ前に、加速度センサが特定の加速度値を検出している。よって、受信部がデータ信号を受信したタイミングより送信遅延時間分前に検出された回転位置情報が、特定の加速度値を検出したときの車輪側ユニットの回転位置情報となる。よって、送信遅延時間前の回転位置情報を照合することで、車輪の位置を判定することができる。
【００１２】
また、車輪位置判定装置について、前記送信遅延時間は複数設定されていてもよい。
これによれば、一定車速が継続されている場合には、特定の加速度値を検出したタイミングから送信遅延時間が経過したとき、車輪側ユニットの回転位置がヌル点となる範囲に位置する場合がある。このような場合であっても、送信遅延時間が複数設定されていれば、ある送信遅延時間が経過したときに、車輪側ユニットがヌル点となる範囲に位置していても、その他の送信遅延時間が経過したときには、車輪側ユニットの回転位置はヌル点となる範囲から外れることになり、車輪位置判定部では、車輪側ユニットからのデータ信号を受信して車輪位置を判定することが可能になる。
【００１３】
また、車輪位置判定装置について、前記送信部は、前記送信遅延時間に関するデータを前記データ信号と共に送信する。
これによれば、車輪位置判定部は、データ信号の受信と同時に送信遅延時間が認識できるため、車輪位置を容易に特定することができる。
【発明の効果】
【００１４】
本発明によれば、ヌル点を回避して車輪の位置判定を簡単に行うことができる。
【図面の簡単な説明】
【００１５】
【図１】（ａ）はタイヤ状態監視装置が搭載された車両を示す概略構成図、（ｂ）は車輪、タイヤセンサユニット及び加速度センサを示す図。
【図２】回転センサユニットを示す概略構成図。
【図３】タイヤセンサユニットの回路構成を示すブロック図。
【図４】（ａ）は第１の車速での送信遅延時間でのタイヤセンサユニットの回転位置を示す図、（ｂ）は第２の車速での送信遅延時間でのタイヤセンサユニットの回転位置を示す図。
【図５】（ａ）は第１の車速での第１及び第２送信遅延時間でのタイヤセンサユニットの回転位置を示す図、（ｂ）は第２の車速での第１及び第２送信遅延時間でのタイヤセンサユニットの回転位置を示す図。
【発明を実施するための形態】
【００１６】
以下、本発明の車輪位置判定装置をタイヤ状態監視装置に具体化した一実施形態について、図面を参照して説明する。
図１（ａ）に示すように、車両１は、ＡＢＳ（アンチロック・ブレーキシステム）１０及びタイヤ状態監視装置２０を搭載している。ＡＢＳ１０は、ＡＢＳコントローラ２３と、車両１の４つの車輪２にそれぞれ対応する回転センサユニット２４とを備えている。なお、各車輪２は、ホイール部５と同ホイール部５に装着されるタイヤ６とから構成されている。以後、適宜に、前側左側の車輪２を符号“ＦＬ”で示し、前側右側の車輪２を符号“ＦＲ”で示し、後側左側の車輪２を符号“ＲＬ”で示し、後側右側の車輪２を符号“ＲＲ”で示す。
【００１７】
まず、ＡＢＳ１０について説明する。ＡＢＳコントローラ２３はマイクロコンピュータ等よりなり、回転センサユニット２４から出力される信号に基づき各車輪２の回転速度（回転位置）を求める。
【００１８】
図２に示すように、各回転センサユニット２４は、車輪２の近傍で且つバネ下に設けられており、車輪２と一体回転する歯車２４ａと、歯車２４ａの外周面に対向するように配置された検出器２４ｂとからなる。歯車２４ａの外周面には複数本（本実施形態では４８本）の歯２４ｃが等角度間隔おきに設けられている。そして、検出器２４ｂは、車両１のイグニッションオン状態から、歯２４ｃの位置から車輪２の回転位置情報として、パルス信号を生成する。ＡＢＳコントローラ２３は、各検出器２４ｂに有線接続されている。
【００１９】
次に、タイヤ状態監視装置２０について説明する。
図１（ａ）に示すように、タイヤ状態監視装置２０は、４つの車輪２にそれぞれ取り付けられる４つの車輪側ユニットとしてのタイヤセンサユニット３と、車両１の車体１ａに設置される受信機ユニット４とを備えている。
【００２０】
まず、タイヤセンサユニット３について説明する。
各タイヤセンサユニット３は、タイヤ６の内部空間に配置されるように、そのタイヤ６が装着されたホイール部５に対して取り付けられている。各タイヤセンサユニット３は、対応するタイヤ６の状態（タイヤ内圧力、タイヤ内温度）を検出して、検出されたタイヤ状態を示すデータを含む信号、即ちタイヤ状態データ信号（以下、データ信号と称する）を無線送信する。
【００２１】
図３に示すように、各タイヤセンサユニット３は、圧力センサ１１、温度センサ１２、加速度センサ１３、センサユニットコントローラ１４、及び、送信部としてのＲＦ送信回路１６を備えている。圧力センサ１１は、対応するタイヤ６内の圧力（内部空気圧）を検出して、その検出によって得られたタイヤ内圧力データをセンサユニットコントローラ１４に出力する。温度センサ１２は、対応するタイヤ６内の温度（内部空気温度）を検出して、その検出によって得られたタイヤ内温度データをセンサユニットコントローラ１４に出力する。
【００２２】
タイヤセンサユニット３に備えられた１軸の加速度センサ１３は、例えば、ピエゾ抵抗型や静電容量型の加速度センサとして周知のものであり、加速度に応じた加速度データを発生してセンサユニットコントローラ１４に出力する。
【００２３】
図１（ｂ）に示すように、加速度センサ１３は、一つの検出軸７に沿った方向の加速度成分を検出可能な加速度センサが用いられる。加速度センサ１３は、加速度の検出軸７が鉛直方向に延びるように車輪２に対して配置され、この加速度センサ１３によって重力加速度が検出されるようになっている。
【００２４】
図４及び図５に示すように、加速度センサ１３は、タイヤセンサユニット３が車輪２の所定の回転位置に位置する度に加速度を検出し、その検出した加速度データをセンサユニットコントローラ１４に出力する。本実施形態では、車輪２が１回転する間に、加速度センサ１３は加速度を１３回検出する。例えば、タイヤセンサユニット３が、車輪２の鉛直方向の最上位置に位置したときは加速度センサ１３は−１Ｇを検出し、タイヤセンサユニット３が、車輪２の最下位置に位置したときは加速度センサ１３は＋１Ｇを検出する。
【００２５】
図３に示すように、センサユニットコントローラ１４は、ＣＰＵ及び記憶部１４ａ（ＲＡＭやＲＯＭ等）を含むマイクロコンピュータ等よりなり、記憶部１４ａには、後述の送信遅延時間に関するデータが記憶されている。そして、センサユニットコントローラ１４は、タイヤ内圧力データ、タイヤ内温度データ、加速度データ、送信遅延時間に関するデータを含むデータを、ＲＦ送信回路１６に出力する。ＲＦ送信回路１６は、センサユニットコントローラ１４からのデータを変調して変調信号（データ信号）を生成し、そのデータ信号を送信アンテナ１９から無線送信する。
【００２６】
各タイヤセンサユニット３は、タイヤ状態の計測動作を所定時間間隔で定期的に行い、受信機ユニット４に向けてデータ信号の送信動作を行う。
また、上述のように、ＲＦ送信回路１６は、各種データをデータ信号として無線送信するが、ＲＦ送信回路１６がデータ信号を送信するタイミングは、加速度センサ１３が、特定の加速度値（＋１Ｇ）を検出したタイミングから、一定の送信遅延時間が経過した後となっている。送信遅延時間は、記憶部１４ａに記憶されており、センサユニットコントローラ１４は、特定の加速度値が加速度センサ１３によって検出されたタイミングから、送信遅延時間が経過すると、ＲＦ送信回路１６にデータ信号を送信させる制御を行う。なお、送信遅延時間は、変更可能になっている。
【００２７】
次に、受信機ユニット４について説明する。
図１（ａ）に示すように、受信機ユニット４は、車体の所定箇所に設置され、例えば車両１のバッテリ（図示せず）からの供給電力によって動作する。受信機ユニット４は、車体の任意の箇所に配置された受信アンテナ３２を備えており、各タイヤセンサユニット３の送信アンテナ１９から送信されたデータ信号を、受信アンテナ３２を通じて受信して、その受信したデータ信号を処理する。
【００２８】
受信機ユニット４は、車輪位置判定部としての受信機ユニットコントローラ３３、及びＲＦ受信回路３５を備えている。受信機ユニットコントローラ３３はＣＰＵ及び記憶部（ＲＯＭやＲＡＭ等）を含むマイクロコンピュータ等よりなり、受信機ユニット４の動作を統括的に制御する。受信部としてのＲＦ受信回路３５は、各タイヤセンサユニット３から受信アンテナ３２を通じて受信されたデータ信号を復調して、受信機ユニットコントローラ３３に送る。
【００２９】
受信機ユニットコントローラ３３は、ＲＦ受信回路３５からのデータ信号に基づき、発信元のタイヤセンサユニット３に対応するタイヤ６の内部空気圧及び内部空気温度を把握する。また、受信機ユニットコントローラ３３は、内部空気圧及び内部空気温度に関する情報等を表示器３８に表示させる。表示器３８は、車室内等、車両１の搭乗者の視認範囲に配置される。受信機ユニットコントローラ３３はさらに、内部空気圧や内部空気温度の異常を警報器（報知器）３７にて報知させる。警報器３７としては、例えば、異常を光の点灯や点滅によって報知する装置や、異常を音によって報知する装置が適用される。
【００３０】
受信機ユニットコントローラ３３は、ＡＢＳコントローラ２３に接続され、各回転センサユニット２４で生成されたパルス信号を、ＡＢＳコントローラ２３を通じて受け取る。また、受信機ユニットコントローラ３３は、タイヤセンサユニット３から送信されたデータ信号を受信すると、そのデータ信号に含まれる送信遅延時間に関するデータ、及び回転センサユニット２４で生成されたパルス信号に基づいて、データ信号を送信したタイヤセンサユニット３の位置を特定する。
【００３１】
次に、本実施形態の作用について説明する。なお、４つの車輪２の位置特定方法は全て同じであるため、４つの車輪２のうちの１つの車輪２の位置特定方法について説明し、残り３つの車輪２の位置特定方法は説明を省略する。
【００３２】
さて、図４（ａ）に示すように、車両１が第１の車速で走行している場合、タイヤセンサユニット３の回転位置が車輪２の最下位置に位置し、特定検出タイミングＴ１で加速度センサ１３が特定の加速度値（＋１Ｇ）を検出する。すると、センサユニットコントローラ１４は、その特定検出タイミングＴ１から送信遅延時間が経過した後に、送信タイミングＳ１でＲＦ送信回路１６からデータ信号を送信させる。この第１の送信タイミングＳ１のとき、タイヤセンサユニット３の回転位置がヌル点の範囲に位置すると、タイヤセンサユニット３からのデータ信号に対して受信アンテナ３２の受信強度が著しく低下する。このとき（ヌル点時）、受信機ユニットコントローラ３３では、タイヤセンサユニット３からデータ信号を受信できない。
【００３３】
その後、車両１の車速が上がり、図４（ｂ）に示すように、第２の車速で走行している場合、タイヤセンサユニット３の回転位置が車輪２の最下位置に位置すると、特定検出タイミングＴ１で加速度センサ１３が特定の加速度値（＋１Ｇ）を検出する。そして、センサユニットコントローラ１４は、その特定検出タイミングＴ１から送信遅延時間経過した後に、送信タイミングＳ１でＲＦ送信回路１６からデータ信号を送信させる。このとき、第２の車速では、第１の車速に比べて車速が速くなっている分、同じ送信遅延時間が経過した後のタイヤセンサユニット３の回転位置は、第１の車速のときよりも回転方向に進んだ位置になる。すなわち、特定検出タイミングＴ１から送信遅延時間が経過した後のタイヤセンサユニット３の回転位置が、第１の車速と第２の車速とで異なる。よって、第１の車速のとき、タイヤセンサユニット３の回転位置がヌル点の範囲に位置しても、第２の車速のときは、タイヤセンサユニット３の回転位置はヌル点の範囲外に位置し、受信機ユニットコントローラ３３では、タイヤセンサユニット３からのデータ信号が受信できる。
【００３４】
そして、受信機ユニットコントローラ３３は、データ信号を受信すると、そのデータ信号に含まれる送信遅延時間に関するデータに基づき、受信機ユニットコントローラ３３がデータ信号を受信したタイミングよりも、送信遅延時間だけ前に加速度センサ１３によって特定の加速度値が検出されていたことを判定する。そして、受信機ユニットコントローラ３３は、送信遅延時間だけ前に受け取ったパルス信号と、そのパルス信号と合致するパルス信号を生成した回転センサユニット２４とを照合し、データ信号を送信したタイヤセンサユニット３の位置を特定する。
【００３５】
上記実施形態によれば、以下のような効果を得ることができる。
（１）加速度センサ１３が車輪２の最下位置に位置し、特定の加速度値を検出すると、その特定検出タイミングＴ１から一定の送信遅延時間が経過した後に、ＲＦ送信回路１６からデータ信号を受信機ユニット４に向けて送信させるようにした。加速度センサ１３が特定の加速度値を検出する位置は、車速に関係なく車輪２の最下位置であり、このときのタイヤセンサユニット３の位置も車速に関係なく車輪２の最下位置である。そして、特定の加速度値を検出した特定検出タイミングＴ１から一定の送信遅延時間が経過した後は、タイヤセンサユニット３の車輪２での回転位置は、第１の車速よりも第２の車速の方が車輪２の最下位置よりも回転方向に遠くなる。したがって、仮に第１の車速ではタイヤセンサユニット３の回転位置がヌル点となる範囲に位置したとしても、第２の車速ではタイヤセンサユニット３の回転位置はヌル点となる範囲から外れ、受信機ユニット４ではタイヤセンサユニット３からのデータ信号を受信することが可能になり、車輪２の位置を特定することができる。
【００３６】
（２）車両１の車速が異なれば、ＲＦ送信回路１６による送信タイミングＳ１が異なる。車両１の車速は、ほぼ変化しているため、タイヤセンサユニット３がヌル点の範囲に位置し続けることを回避して、車輪２の位置特定を的確に行うことができる。
【００３７】
（３）センサユニットコントローラ１４の記憶部１４ａに送信遅延時間に関するデータを記憶させ、送信遅延時間に関するデータを、車輪２の圧力及び温度に関するデータ信号と共に受信機ユニット４に向けて送信した。よって、受信機ユニット４の受信機ユニットコントローラ３３では、データ信号を受信すると、そのデータ信号に含まれる送信遅延時間に基づいて、データ信号を送信したタイヤセンサユニット３を特定することができる。
【００３８】
（４）受信機ユニット４では、ＡＢＳ１０によって生成されたパルス信号を用いて車輪２の位置を特定する。このＡＢＳ１０は、車両１に既存の構成である。このため、タイヤセンサユニット３においては、送信遅延時間の設定だけでヌル点を回避することができ、受信機ユニット４では既存のＡＢＳ１０を用いて車輪２の位置を特定することができる。よって、車両１に部品を追加することなく、ヌル点を回避して車輪２の位置を特定することができる。
【００３９】
（５）加速度センサ１３として１軸の加速度センサを用いた。加速度センサ１３としては、１軸、２軸、３軸のものがあるが、安価な１軸の加速度センサ１３を用いても、ヌル点によって車輪２の位置判定が不能になることを回避することができる。
【００４０】
なお、上記実施形態は以下のように変更してもよい。
○  実施形態では、送信遅延時間を１種類だけ設定したが、複数の送信遅延時間を設定し、加速度センサ１３が、特定の加速度値を検出したタイミングから異なるタイミングで、ＲＦ送信回路１６からデータ信号を送信させてもよい。
【００４１】
図５（ａ）及び（ｂ）に示すように、第１の送信遅延時間と、第２の送信遅延時間を設定する。第１の送信遅延時間の方が、第２の送信遅延時間より短くなっている。このように構成すると、図５（ａ）に示すように、第１の車速では、特定検出タイミングＴ１で特定の加速度値が検出されてから第１の送信遅延時間が経過した第１の送信タイミングＳ１のとき、ＲＦ送信回路１６からデータ信号が送信される。このとき、タイヤセンサユニット３の回転位置がヌル点の範囲に位置したとする。しかし、第２の送信遅延時間が経過した第２の送信タイミングＳ２のときは、タイヤセンサユニット３がヌル点の範囲から外れる。
【００４２】
また、図５（ｂ）に示すように、第１の車速より車速の速い第２の車速では、特定検出タイミングＴ１で特定の加速度値が検出されてから第１の送信遅延時間が経過した第１の送信タイミングＳ１のとき、ＲＦ送信回路１６からデータ信号が送信される。このとき、タイヤセンサユニット３の回転位置がヌル点の範囲に位置したとする。しかし、第２の送信遅延時間が経過した第２の送信タイミングＳ２のときは、タイヤセンサユニット３がヌル点の範囲から外れる。
【００４３】
よって、送信遅延時間を複数設定し、ＲＦ送信回路１６からの送信タイミングを異ならせることで、より確実にヌル点を回避することができる。
○  実施形態では、タイヤ６の状態（タイヤ内圧力、タイヤ内温度）を示すデータ信号に、送信遅延時間に関するデータを含めたが、タイヤ６の状態を示すデータ信号と、送信遅延時間に関するデータは、別々に受信機ユニット４に送信してもよい。
【００４４】
○  実施形態では、タイヤ６の状態（タイヤ内圧力、タイヤ内温度）を示すデータ信号に、送信遅延時間に関するデータを含めたが、送信遅延時間そのものの情報ではなく、送信遅延時間の識別信号をデータ信号に含めてもよい。例えば、識別信号として奇数のデータには、第１の送信遅延時間が対応付けられ、偶数のデータには、第２の送信遅延時間が対応付けられる。そして、受信機ユニット４では、データ信号を受信したとき、そのデータ信号に含まれる識別信号が奇数の場合は、第１の送信遅延時間に対応した処理を行い、識別信号が偶数の場合は、第２の送信遅延時間に対応した処理を行う。
【００４５】
○  実施形態では、加速度センサ１３は、１軸の加速度センサであったが、２軸又は３軸の加速度センサであってもよい。
○  実施形態では、加速度センサ１３が＋１Ｇを検出したタイミングを特定検出タイミングとしたが、この特定検出タイミングは、適宜変更してもよい。
【００４６】
○  実施形態では、第１及び第２の送信遅延時間を設定したが、３種類以上の送信遅延時間を設定してもよい。
○  本発明は、タイヤ状態監視装置への適用に限定されるものではなく、車輪２の位置判定を行う各種の装置に適用することができる。
【００４７】
次に、上記実施形態及び別例から把握できる技術的思想について以下に追記する。
（イ）前記各車輪側ユニットは、前記車輪におけるタイヤの状態を検出するとともに検出したタイヤの状態を示すデータを含むデータ信号を無線送信するタイヤセンサユニットである。
【符号の説明】
【００４８】
１…車両、１ａ…車体、２…車輪、３…タイヤセンサユニット（車輪側ユニット）、４…受信機ユニット、１３…加速度センサ、１６…ＲＦ送信回路（送信部）、２０…タイヤ状態監視装置（車輪位置判定装置）、２４…回転センサユニット（回転位置検出部）、３３…受信機ユニットコントローラ（車輪位置判定部）、３５…ＲＦ受信回路（受信部）。
【図１】
2016203722.tif 000003
【図２】
2016203722.tif 000004
【図３】
2016203722.tif 000005
【図４】
2016203722.tif 000006
【図５】
2016203722.tif 000007